(57)【特許請求の範囲】
【請求項１】
張り部材をフレームに取り付ける構造を備え、張り部材及びフレームが背凭れを構成するものであって、
張り部材の上縁側の背面から起立して後方に突出する起立片を設けるとともに、フレームの前面に前記起立片を起立方向に挿入する溝を設け、
起立片を溝に挿入した状態で、前記フレームの下方に存在する空間から当該フレームに挿入した固定具により起立片を溝内に固定していることを特徴とする椅子。
【請求項２】
正面側から見れば張り部材しか視認されず、背面側から見ればフレームしか視認されず、前記起立片の固定部分を正面側からも背面側からも隠蔽している請求項１記載の椅子。
【請求項３】
前記張り部材は、その上縁側に前記フレームに固定される上弾性体を備えており、
前記起立片をねじ孔を有する金属製のものとし、前記上弾性体を樹脂により成形する際に起立片を支持するアンカプレートを樹脂内にインサート成形することで、起立片を張り部材に設けている請求項１または２記載の椅子。
【請求項４】
前記固定具が前記起立片と係わり合うねじまたはピンである請求項１または２記載の椅子。
【請求項５】
前記フレームは、左右の起立縁部の上端部間が水平縁部によって連結された下向きコ字形をなすものであり、
前記水平縁部に前記溝を設けるとともに、当該水平縁部の前面に前記張り部材の上縁側を重合させる請求項１、２、３または４記載の椅子。
【発明の詳細な説明】
【０００１】
【発明の属する技術分野】
本発明は、張り部材をフレームに取り付けて背凭れ等を構成している椅子に関するものである。
【０００２】
【従来の技術】
この種の椅子として、少ない部品点数で椅子を構成するために、フレームにクッション作用を営む張り部材を取り付けて背凭れ等を構成したものが開発されている。この場合の張り部材のフレームへの取り付けは、張り部材の縁部をフレームに巻き回し、背面側をタッカで固定する等の作業を通じて行うようにしている。
【０００３】
【発明が解決しようとする課題】
ところが、特に背凭れ等は、前方からも後方からも視認され易いものである。このため、張り部材とフレームとの接合部分を見栄え良く処理するためには、前後方向から見えにくい位置で張り部材をフレームに固定する必要があり、タッカによる固定作業が極めて繁雑で効率の悪いものになるだけでなく、取付状態も不完全なものになり易いという問題がある。
【０００４】
また、座においても、例えば折畳み可能なもの、或いはライジング可能なもの等は、張り部材の背面側が視認されるので、背凭れにおけると同様の問題を抱える。
【０００５】
【課題を解決するための手段】
上記の課題を解決するために、本発明は、次のような手段を講じたものである。
【０００６】
すなわち、本発明の椅子は、張り部材をフレームに取り付ける構造を備え、張り部材及びフレームが背凭れを構成するものであって、張り部材の上縁側の背面から起立して後方に突出する起立片を設けるとともに、フレームの前面に前記起立片を起立方向に挿入する溝を設け、起立片を溝に挿入した状態で、前記フレームの下方に存在する空間から当該フレームに挿入した固定具により起立片を溝内に固定していることを特徴とする。
【０００７】
このような構成のものであれば、張り部材とフレームとを重合させたときに、その重合部分において起立片と溝との係わり合い状態が形成される。そして、この状態で固定具により起立片を溝内に固定すれば、張り部材側から見れば張り部材しか視認されず、フレーム側から見ればフレームしか視認されず、固定部分を張り部材側からもフレーム側からも好適に隠蔽することができる。しかも、単に張り部材とフレームとを重合させ、固定具により固定するだけであるので、面倒な作業が不要であり、固定具にねじ等を用いれば、張り部材の着脱も極めて簡便に行うことが可能になる。
【０００８】
したがって、本発明は、張り部材及びフレームが背凭れを構成するものである場合に特に有効となるものである。
【０００９】
少なくとも背凭れの上縁を支持するフレームと張り部材との関係においては、起立片が張り部材の上縁側に後方に向けて設けられるとともに、溝がフレームの前面側に開口して設けられ、フレームの下方から挿入した固定具により起立片をフレームの溝内に固定するようにしていることが望ましい。
【００１０】
前記張り部材は、その上縁側に前記フレームに固定される上弾性体を備えており、前記起立片をねじ孔を有する金属製とし、前記上弾性体を樹脂により成形する際に起立片を支持するアンカプレートを樹脂内にインサート成形することで、起立片を張り部材に設けているものとすることができる。
【００１１】
前記固定具は、例えば、前記起立片と係わり合うねじまたはピンとする。
【００１２】
前記フレームは、左右の起立縁部の上端部間が水平縁部によって連結された下向きコ字形をなすものとし、前記水平縁部に前記溝を設けるとともに、当該水平縁部の前面に前記張り部材の上縁側を重合させる構成とすることができる。
【００１４】
【発明の実施の形態】
以下、本発明の一実施形態を、図１〜図４を参照して説明する。
【００１５】
図１は、本発明の一実施形態を示す椅子の全体側面図であり、図２は、その部分的な後方斜視図である。この椅子は、ベース脚１と、このベース脚１に取り付けられた支基２と、この支基２に支持された座３及び背凭れ４とを基本構成とするもので、背凭れ４は、上フレーム５及び下フレーム６の間にテンションを掛けた状態で張り部材７を取り付けて構成されている。そして、上フレーム５のみを後傾させるリフレッシュ状態（図１における想像線参照）と、上下両フレーム５、６を後傾させるリラックス状態（図３における想像線参照）とを選択的に採り得るようにしている。
【００１６】
上フレーム５は、基端を支基に支持され先端側を着座者の頭部方向に向けて突出させた第１の背支桿８１の上端部間に架設されているもので、下向きコ字形をなし、そのコ字形を構成する左右の起立縁部５１は前方に向かって凸となるように前上方に緩やかに湾曲して立ち上がり、その上端部間が水平縁部５２によって連結されている。
【００１７】
下フレーム６は、基端を支基に支持され先端側を着座者の腰部方向に向けて突出させた第２の背支桿８２の上端部間に架設されているもので、上向きコ字形をなし、そのコ字形を構成する左右の起立縁部６１は前方に向かって凸となるように前上方に緩やかに立ち上がり、引き続き後上方に緩やかに立ち上がっており、その起立縁部６１の下端部間が水平縁部６２によって連結されている。
【００１８】
一方、張り部材７は、上縁を前記上フレーム５の水平縁部５２に固定される下向きコ字形の上弾性体７１と、下縁を前記下フレーム６の水平縁部６２に固定される上向きコ字形の下弾性体７２と、両弾性体７１、７２の自由端側をオーバーラップさせた状態でそれらの弾性体の前面に貼り付けられる張地７３とを備えているもので、張地７３が荷重を受けることによって、上下の弾性体７１、７２が各々対応する上下フレーム５、６の起立縁部５１、６１に沿ってしなりながら変形するようになっている。
【００１９】
以上の構成において、本実施例は、張り部材７を構成する上弾性体７１の上端側より張り部材７の面に対し起立した方向すなわち後方に突出する方向に図４に示すような起立片９１を設けるとともに、上フレーム５を構成する水平縁部５２の前面側に溝９２を開口して設けている。そして、起立片９１を溝９２に挿入した状態で、挿入方向と直交する方向つまり水平縁部５２の下方向に存在する空間Ｓから挿入した固定具たるねじ９３により、起立片９１を水平縁部５２の溝９２内に固定するようにしている。起立片９１を上弾性体７１に設ける手法の一例としては、起立片９１をねじ孔を有する金属製のものにしておき、上弾性体７１を樹脂により成形する際に起立片９１を支持するアンカプレート９１ａを樹脂内にインサート成形する方法が有効である。勿論、ねじ９３に替えて、ピンを採用してもよい。
【００２０】
このような構成のものであれば、張り部材７と上フレーム５とを重合させたときに、その重合させた部分において起立片９１と溝９２との係わり合い状態が形成される。そして、この状態でねじ９３により起立片９１を溝９２内に固定すれば、正面側から見れば張り部材７しか視認されず、背面側から見れば上フレーム５しか視認されず、固定部分を正面側からも背面側からも好適に隠蔽することができ、椅子の外観を有効に向上させることが可能になる。しかも、単に張り部材７と上フレーム５とを重合させ、直交方向から部分枠体状をなす上フレーム５の開口空間Ｓを利用してねじ９３により固定するだけであるので、面倒な作業が不要であり、またねじ９３を用いているため、張り部材７の着脱も極めて簡便に行うことができ、初期取付時や張地７３の汚損時交換時に速やかに対応することが可能になる。したがって、本実施形態のように前方からも後方からも視認され目立ち易い背凭れ４における張り部材７と上フレーム５の間の取付構造において極めて有用なものとなり得る。
【００２１】
なお、各部の具体的構成は、上述した実施形態のみに限定されるものではなく、本発明の趣旨を逸脱しない範囲で種々変形が可能である。さらに、本発明から派生した態様として、例えば、上記実施形態では、張り部材７側に起立片９１を設け、上フレーム５側に溝９２を設けて構成したが、張り部材７側に溝を設け、上フレーム５側に起立片を設けて構成することも可能である。
【００２２】
また、図５に示すように、張り部材７を構成する上弾性体７１に、チャネル部材１００の一片１０１をインサート成形して、張り部材７の面より後方に起立する起立片１０２及びこの起立片１０２の先端側において下方に屈曲する屈曲片１０３を形成するとともに、上フレーム５に、屈曲片１０３を屈曲方向に挿入する溝１１０を上面側に開口して設け、屈曲片１０３を溝１１０に張地７３のテンションを利用して上方から掛け止めるように構成することもできる。その際、起立片１０２を、溝１１０を完全に塞ぐ位置にまで延長して設ける態様等も有効である。
【００２３】
このように構成しても、張り部材７を構成する張地７３にテンションを掛けた状態で屈曲片１０３を溝１１０に掛け止めれば、再び屈曲片１０３を張地７３のテンションに抗して引き離さない限り溝から外れることはなく、張り部材７と上フレーム５とが重合した状態が維持される。しかも、正面側から見れば張り部材７しか視認されず、背面側から見れば上フレーム５しか視認されず、固定部分を正面側からも背面側からも好適に隠蔽することができるので、椅子の外観を有効に向上させることが可能になる。しかも、単に張り部材７と上フレーム５とを重合させ、屈曲片１０３を溝１１０に掛け止めるだけであるので、面倒な作業が不要であり、張り部材７の着脱も極めて簡便に行うことが可能になる。
【００２４】
さらに、上述した各取付構造は、張り部材７の下縁側と下フレーム６との間に同様に適用することもできる。但し、外部から視認され易く、外観を毀損し易いという観点からすれば、少なくとも張り部材７の上縁側と上フレーム５との間に適用しておけば足りるものである。
【００２５】
さらにまた、座においても、例えば折畳み可能なもの、或いはライジング可能なもの等は、張り部材の下面側が視認されるので、上述した取付構造を適用することによって同様の効果を得ることができる。
【００２６】
その他、起立片をフレーム等の一部に部分的に設けるなどのことも可能である。
【００２７】
【発明の効果】
本発明は、以上のような態様で実施され、以下に記載される効果を奏する。
【００２８】
すなわち、本発明の椅子は、張り部材をフレームに取り付けるにあたり、張り部材若くはフレームの一方に、張り部材の面に対して起立する方向の起立片を設けるとともに、他方の対応位置に、起立片を起立方向に挿入する溝を設け、起立片を溝に挿入した状態で、固定具により起立片を溝内に固定するようにしたものである。
【００２９】
このため、張り部材とフレームとを重合させた状態で、張り部材側にもフレーム側にも起立片と溝との係わり合い部分を露出させない状態を得ることができ、しかも、単に張り部材とフレームとを重合させて固定具により固定するだけであるから、面倒な作業が不要で、張り部材の着脱も簡便となって汚損時の張り部材の取り替え等に簡単に対応することが可能になる。
【００３０】
したがって、本発明は、張り部材及びフレームが背凭れを構成するものである場合に特に有効となるものである。
【００３１】
とりわけ、背凭れの上縁を支持するフレームと張り部材との取付部分は最も目立ち易い箇所であるため、起立片を張り部材の上端側に後方に向けて設けるとともに、溝をフレームの前面側に開口して設け、フレームの下方から挿入した固定具により起立片をフレームの溝内に固定するようにすれば、適切な取付状態を簡単に実現することができる。
【図面の簡単な説明】
【図１】  本発明の一実施形態に係る椅子を示す側面図。
【図２】  同部分後方斜視図。
【図３】  同実施形態に係る椅子の機能を示す図１に対応した斜視図。
【図４】  同実施形態に係る椅子の要部拡大断面図。
【図５】  本発明の椅子と関連の深い椅子の形態を示す図４に対応した断面図。
【符号の説明】
４…背凭れ
５…上フレーム
７…張り部材
９１…起立片
９２…溝
９３…固定具（ねじ）
１０２…起立片
１０３…屈曲片
１１０…溝
【図１】
0004693220.tif 000002
【図２】
0004693220.tif 000003
【図３】
0004693220.tif 000004
【図４】
0004693220.tif 000005
【図５】
0004693220.tif 000006